(57)【要約】【課題】外周近傍に配索されるワイヤーハーネスとのショート事故を確実に防止することができるヒュージブルリンクユニットを提供する。【解決手段】連結プレート部に各可溶体部を介して連結される複数のビス止め用端子部８が連鎖状に形成されたヒューズ回路構成体と、このヒューズ回路構成体が装着されるハウジング４とを備え、このハウジング４に複数のビス止め用端子部８を支持する複数の端子支持部２８を並設したヒュージブルリンクユニットのいて、複数の端子支持部２８に支持された複数のビス止め用端子部８と相手側の端子３０及びビス３６等を被うショート防止カバー３８をハウジング４に着脱自在に取り付けた。【選択図】　　　図６
2004127704.tif 000002
【特許請求の範囲】
【請求項１】
連結プレート部に各可溶体部を介して連結される複数の端子部が連鎖状に形成されたヒューズ回路構成体と、このヒューズ回路構成体が装着されるハウジングとを備え、このハウジングに前記複数の端子部を支持する複数の端子支持部を並設したヒュージブルリンクユニットにおいて、
前記複数の端子支持部に支持された前記複数の端子部を被うショート防止カバーを前記ハウジングに着脱自在に取り付けたことを特徴とするヒュージブルリンクユニット。
【請求項２】
請求項１記載のヒュージブルリンクユニットであって、
前記隣接する各端子支持部間に突設された仕切りリブに、前記ショート防止カバーが係止される被係止部を設けたことを特徴とするヒュージブルリンクユニット。
【請求項３】
請求項１又は請求項２記載のヒュージブルリンクユニットであって、
前記端子部はナット部材とビスによって相手側の端子が接続されるビス止め用端子部であることを特徴とするヒュージブルリンクユニット。
【発明の詳細な説明】
【０００１】
【発明の属する技術分野】
本発明は、各可溶体部を介した端子部が連鎖状に連結されるヒューズ回路構成体を有した連鎖型大電流用のヒュージブルリンクユニットに関する。
【０００２】
【従来の技術】
この種の従来のヒュージブルリンクユニットとして、図９〜図１１に示すものがある。このヒュージブルリンクユニット１００は、図９に示すように、第１及び第２ヒューズ回路構成体１０１，１０２と、これらヒューズ回路構成体１０１，１０２が組み込まれるハウジング１０３とを備えている。
【０００３】
図１０に示すように、第１ヒューズ回路構成体１０１は、連結プレート部１０４と、この連結プレート部１０４に各可溶体部１０５を介して連結された複数の端子部１０６ａ，１０６ｂと、連結プレート部１０４の一端側より延設されたバッテリ用端子部１０７と、連結プレート部１０４の他端側に可溶体１０５ａを介して連結された共通端子部１０８とを有し、図示しない導電性を有する平板状のプレート材のプレス加工により形成される。
【０００４】
図１１に示すように、第２ヒューズ回路構成体１０２は、連結プレート部１０９と、この連結プレート部１０９に各可溶体部１１０を介して連結された複数の端子部１１１ａ，１１１ｂと、連結プレート部１０９の他端側より延設された共通端子部１１２とを有し、図示しない導電性を有する平板状のプレート材のプレス加工により形成される。
【０００５】
図９に示すように、ハウジング１０３は略直方体形状を有し、その上方に開口部１１３を有する回路体収容室１１４が内部に形成されている。この回路体収容室１４の下方には複数のコネクタハウジング部１１５と複数の端子支持部１１６が設けられている。
【０００６】
上記構成において、図９に示すように、第１ヒューズ回路構成体１０１及び第２ヒューズ回路構成体１０２をその平面方向を挿入方向とし、且つ、複数の端子部１０６ａ，１０６ｂ，１１１ａ，１１１ｂを挿入先端としてハウジング１０３の開口部１１３より回路体収容室１１４に挿入する。
【０００７】
そして、第１ヒューズ回路構成体１０１及び第２ヒューズ回路構成体１０２が回路体収容室１１４に完全に挿入されると、第１及び第２ヒューズ回路構成体１０１，１０２の各連結プレート部１０４，１０９が回路体収容室１１４に配置されると共に、各端子部１０６ａ，１０６ｂ，１１１ａ，１１１ｂがコネクタハウジング部１１５内や端子支持部１１６の所定位置にセットされる。
【０００８】
次に、第１及び第２ヒューズ回路構成体１０１，１０２の互いの共通端子部１０８，１１２をボルト１１７ａでハウジング１０３に共締めする。これによって第１ヒューズ回路構成体１０１と第２ヒューズ回路構成体１０２が電気的に接続され、第１ヒューズ回路構成体１０１及び第２ヒューズ回路構成体１０２によって所望のヒューズ回路が構成される。
【０００９】
また、バッテリ用端子１０７もボルト１１７ｂによってハウジング１０３に締結する。バッテリ用端子１０７には図示しないバッテリ用ケーブルの端子が、各コネクタハウジング部１１５内の各端子部１０６ａ，１１１ａには相手側コネクタ１１８の各端子が、端子支持部１１６の各端子部１０６ｂ，１１１ｂにはビス止めで相手側のＬＡ端子１１９がそれぞれ接続される。相手側コネクタ１１８の各端子及び各ＬＡ端子１１９はケーブル１２０を介して各負荷にそれぞれ接続され、これら各負荷にバッテリからの電源がヒューズ回路を介して分配供給される。そして、負荷側の短絡事故などによって可溶体部１０５，１１０に所定以上の電流が通電されると、可溶体部１０５，１１０が発熱によって溶断し、過電流に基づく事故が防止される。
【００１０】
上記ヒュージブルリンクユニット１００にあっては、平板状の第１及び第２ヒューズ回路構成体１０１，１０２をハウジング１０３に組み込むことによりユニットを構成するため、多くの可溶体部（ヒューズ箇所）１０５，１１０を有するヒューズ回路を非常にコンパクトに構成できるものである。特に、図９に示すように、第１ヒューズ回路構成体１０１と第２ヒューズ回路構成体１０２とを狭い間隔Ｗを開けたのみで配置できるため、ヒューズ回路の増設に対してハウジング１０３の長手方向Ｌを拡張することなく短手方向Ｙのわずかな拡張によって対応できる等の利点がある。
【００１１】
【特許文献１】
特開２０００−１３３１１４号公報
【００１２】
【発明が解決しようとする課題】
ところで、前記従来のヒュージブルリンクユニット１００では、コネクタハウジング部１１５の各端子部１０６ａ，１１１ａは、コネクタハウジング部１１５内に収容されて外周が被われるため、ヒュージブルリンクユニット１００の外周近傍に配索される図示しないワイヤーハーネスに直接接触するおそれがない。しかし、端子支持部１１６の各端子部１０６ｂ，１１１ｂは、そのＬＡ端子１１９やこれらを固定する締結具（例えばナット）を含めて外部に露出された状態で配置されているため、これらに上記ワイヤーハーネスが直接接触するおそれがある。各端子部１０６ｂ，１１１ｂやＬＡ端子１１９等にワイヤーハーネスが接触すると、ショートしてワイヤーハーネスの被覆部材を破損する等のショート事故が発生するおそれがある。
【００１３】
そこで、本発明は、前記した課題を解決すべくなされたものであり、外周近傍に配索されるワイヤーハーネスとのショート事故を確実に防止することができるヒュージブルリンクユニットを提供することを目的とする。
【００１４】
【課題を解決するための手段】
請求項１の発明は、連結プレート部に各可溶体部を介して連結される複数の端子部が連鎖状に形成されたヒューズ回路構成体と、このヒューズ回路構成体が装着されるハウジングとを備え、このハウジングに前記複数の端子部を支持する複数の端子支持部を並設したヒュージブルリンクユニットにおいて、前記複数の端子支持部に支持された前記複数の端子部を被うショート防止カバーを前記ハウジングに着脱自在に取り付けたことを特徴とする。
【００１５】
このヒュージブルリンクユニットでは、複数の端子支持部の各端子部がショート防止カバーで被われるため、ワイヤーハーネスが各端子部に直接接触することがない。
【００１６】
請求項２の発明は、請求項１記載のヒュージブルリンクユニットであって、前記隣接する各端子支持部間に突設された仕切りリブに、前記ショート防止カバーが係止される被係止部を設けたことを特徴とする。
【００１７】
このヒュージブルリンクユニットでは、請求項１の発明の作用に加え、仕切りリブに被係止部を設けたことにより、被係止部を設ける部材を別途付設する必要がない。
【００１８】
請求項３の発明は、請求項１又は請求項２記載のヒュージブルリンクユニットであって、前記端子部はナット部材とビスによって相手側の端子が接続されるビス止め用端子部であることを特徴とする。
【００１９】
このヒュージブルリンクユニットでは、請求項１又は請求項２の発明の作用に加え、ビス止め用端子部は比較的大電流が通電される端子に用いられ、このビス止め用端子部にワイヤーハーネスが接触されるとショート事故が発生する可能性があるが、このショート事故が確実に防止される。
【００２０】
【発明の実施の形態】
以下、本発明の一実施形態を図面に基づいて説明する。
【００２１】
図１〜図８は本発明の一実施形態を示し、図１は連鎖型大電流用のヒュージブルリンクユニットの斜視図、図２は図１中Ａ−Ａ線に沿う断面図、図３は図１中Ｂ−Ｂ線に沿う断面図、図４は第１ヒューズ回路構成体の正面図、図５は第２ヒューズ回路構成体の正面図、図６はショート防止カバーで被われる箇所の分解斜視図、図７はショート防止カバーで被われる部分の断面図、図８は第１及び第２ヒューズ回路構成体が形成するヒューズ回路図である。
【００２２】
図１〜図３に示すように、ヒュージブルリンクユニット１は、ブスバーである第１ヒューズ回路構成体２と、同じくブスバーである第２ヒューズ回路構成体３と、これらヒューズ回路構成体２，３が互いに所定の間隔を開けて組み込まれる合成樹脂製のハウジング４とを備えている。
【００２３】
図４に示すように、第１ヒューズ回路構成体２は、細長い長方形状の連結プレート部５と、この連結プレート部５の短手方向に各可溶体部６を介して連鎖状に連結された複数の雌端子部７と、連結用プレート部５の短手方向に各可溶体部６を介して連鎖状に連結された複数のビス止め用端子部８と、連結プレート部５の短手方向に可溶体部を介さずに直接連結された１つのバッテリ用端子部（ビス止め用端子部）９と、連結プレート部５の長手方向に可溶体部１０を介して連結された差し込み係止部１１とを有し、図示しない導電性で平板状のプレート材をプレス加工することにより一体に形成されている。
【００２４】
各可溶体部６は細幅でクランク状を有し、そのクランク形状の途中に低融点金属が加締め固定されるものであり、それぞれに所定値以上の電流が通電されると溶断されるようになっている。また、可溶体部１０は細長でストレート状を有する。連結プレート部５と各ビス止め用端子部８との間に介在された各可溶体部６は、連結プレート部５の平面方向に対して傾斜されることなく同一平面状に配置されているが、連結プレート部５と各雌端子部７との間に介在された各可溶体部６は、図２に示すように、連結プレート部５の平面方向Ｚに対して傾斜して配置されている。
【００２５】
複数の雌端子部７と複数のビス止め用端子部８は、隣接するもの同士が間隔を置いて連鎖状に配置されている。差し込み係止部１１の一部は垂直方向に折曲され、この折曲部分が共通端子部１２として形成されている。
【００２６】
図５に示すように、第２ヒューズ回路構成体３は、細長い長方形状の連結プレート部１３と、この連結プレート部１３の短手方向に各可溶体部１４を介して連鎖状に連結された複数の雌端子部１５と、連結用プレート部１３の短手方向に各可溶体部１４を介して連鎖状に連結された複数のビス止め用端子部１６と、連結プレート部１３の長手方向に延設された差し込み係止部１７とを有し、図示しない導電性で平板状のプレート材をプレス加工することにより一体に形成されている。
【００２７】
各可溶体部１４は、第１ヒューズ回路構成体２の可溶体部６と同様に、細幅でクランク状を有し、そのクランク形状の途中に低融点金属が加締め固定されるものであり、それぞれに所定値以上の電流が通電されると溶断されるようになっている。連結プレート部１３と各ビス止め用端子部１６との間に介在された各可溶体部１４は、第１ヒューズ回路構成体２のものと同様に、連結プレート部１３の平面方向Ｚに対して傾斜されることなく同一平面状に配置されているが、連結プレート部１３と各雌端子部１５との間に介在された各可溶体部１４は、図２に示すように、連結プレート部１３の平面方向Ｚに対して傾斜して配置されている。但し、第１ヒューズ回路構成体２のものに比べて傾斜角度が緩く形成されている。そして、第１ヒューズ回路構成体２の各可溶体部６と第２ヒューズ回路構成体３の各可溶体部１４との傾斜方向は、図２に示すように、ハウジング４に装着された状態にあって、互いに近接する方向になるように設定されている。
【００２８】
また、複数の雌端子部１５と複数のビス止め用端子部１６は、第１ヒューズ回路構成体２のものと同様に、隣接するもの同士が間隔を置いて連鎖状に配置されている。差し込み係止部１７の一部は、第１ヒューズ回路構成体２のものと同じく垂直方向に折曲され、この折曲部分が共通端子部１８として形成されている。第１ヒューズ回路構成体２の共通端子部１２と第２ヒューズ回路構成体３の共通端子部１８とは、ハウジング４に装着された状態にあってボルト１９と共に密着され、この双方の共通端子部１２，１８によってオルタネータ用端子２０が形成される。
【００２９】
図１〜図３に示すように、ハウジング４は略直方体形状を有し、上方に開口部２５を有する回路体収容室２６が内部に形成されている。このハウジング４の上方には合成樹脂製の透明カバー３２が装着され、この透明カバー３２によって開口部２５が塞がれるようになっている。また、回路体収容室２６の下方には３つのコネクタハウジング部２７と４箇所に分配配置され、且つ、各箇所で３つが並列配置された端子支持部２８とが設けられている。
【００３０】
各コネクタハウジング部２７内は、第１及び第２ヒューズ回路構成体２，３の各雌端子部７，１５を所定位置で支持するようになっている。
【００３１】
図６及び図７に示すように、各箇所の端子支持部２８は、第１及び第２ヒューズ回路構成体２，３の各ビス止め用端子部８，１６の裏面側と側端側を支持するようになっており、隣接する端子支持部２８の間には仕切りリブ３７がそれぞれ突設されている。そして、各箇所の３つの端子支持部２８は、合成樹脂製のショート防止カバー３８によって被われている。このショート防止カバー３８の両端には上下規制突起３９が、その内面の２箇所には弾性係止突起４０が、それぞれ設けられている。一方、３つが並設された端子支持部２８の両端には上下規制凹部４１が、その隣接する端子支持部２８間の仕切りリブ３７には被係止部である係止溝４２が、それぞれ設けられている。ショート防止カバー３８は、その上下規制突起３９が上下規制凹部４１に、弾性係止突起４０が係止溝４２に、それぞれ係止することによってハウジング４に着脱自在に取り付けられるようになっている。
【００３２】
次に、上記ヒュージブルリンクユニット１の組み付けを簡単に説明する。第１ヒューズ回路構成体２及び第２ヒューズ回路構成体３をその平面方向Ｚを挿入方向とし、且つ、複数の雌端子部７，１５等を挿入先端としてハウジング４の開口部２５より回路体収容室２６に挿入する。
【００３３】
そして、第１ヒューズ回路構成体２及び第２ヒューズ回路構成体３が互いに所定の間隔を開けてハウジング４の開口部２５より回路体収容室２６に完全に挿入されると、図２及び図３に示すように、第１及び第２ヒューズ回路構成体２，３の各連結プレート部５，１３が回路体収容室２６に配置されると共に、各端子部７，８，１５，１６がコネクタハウジング部２７内や端子支持部２８の所定位置にセットされる。
【００３４】
また、第１及び第２ヒューズ回路構成体２，３の互いの共通端子部１２，１８はボルト１９と共に密着され、双方の共通端子部１２，１８によってオルタネータ用端子２０が形成される。共通端子部１２，１８を介して第１ヒューズ回路構成体２と第２ヒューズ回路構成体３が電気的に接続されることによって、図８に示すヒューズ回路が構成される。
【００３５】
次に、バッテリ用端子部９にはバッテリ用ケーブルのＬＡ（丸形）端子３０が、オルタネータ用端子２０にはボルト１９とナット３４によってオルタネータ用ケーブルのビス止め端子３５が接続される。また、各コネクタハウジング部２７内の各雌端子部７，１５には相手側コネクタの各雄端子（図示せず）が、各端子支持部２８の各ビス止め用端子部８，１６にはナット部材２９とビス３６によってビス止め端子３０がそれぞれ接続される。相手側コネクタの各雄端子及び相手側の各ＬＡ端子３０はケーブル３１を介して図示しない各負荷にそれぞれ接続される。
【００３６】
このように相手側のビス止め用の各端子３０，３５を接続した後に、透明カバー３２やショート防止カバー３８をハウジング４に装着する。
【００３７】
上記構成において、各負荷にバッテリやオルタネータ（いずれも図示せず）からの電源がヒュージブルリンクユニット１のヒューズ回路を介して分配供給される。また、バッテリの電源が少なくなると、オルタネータよりバッテリに電源が供給されることによって充電が行われる。そして、負荷側の短絡事故などによっていずれかの可溶体部６，１０，１４に所定以上の電流が通電されると、可溶体部６，１０，１４が発熱によって溶断し、過電流に基づく事故が防止される。
【００３８】
ところで、ヒュージブルリンクユニット１の外周近傍には図示しないワイヤーハーネスが配索されるが、端子支持部２８の各ビス止め用端子部８，１６等がショート防止カバー３８で被われることからワイヤーハーネスが各ビス止め用端子部８，１６等に直接接触することがないため、外周近傍に配索されるワイヤーハーネスとのショート事故を確実に防止することができる。
【００３９】
この実施形態では、隣接する端子支持部２８間に突設された仕切りリブ３７にショート防止カバー３８を係止する被係止溝４２を設けた。仕切りリブ３７は隣接する端子支持部２８間にショート防止のために予め設置されており、このように予め設置されている仕切りリブ３７に被係止溝４２を設けたことから被係止部を設ける部材を別途付設する必要がなく、その分全体の低コスト化を図ることができる。
【００４０】
また、この実施形態では、ショート防止カバー３８によってビス止め用端子部８，１６が被われている。ビス止め用端子部８，１６は比較的大電流が通電される端子に用いられ、ビス止め用端子８，１６にワイヤーハーネスが接触されるとショート事故が発生する可能性があるが、このショート事故をショート防止カバー３８により確実に防止することができる。
【００４１】
尚、前記実施形態によれば、第１及び第２ヒューズ回路構成体２，３の２枚でヒューズ回路を形成したが、ヒューズ回路構成体を１枚のみで形成する場合にも３枚以上で形成する場合にも同様に適用することができることは勿論である。
【００４２】
【発明の効果】
以上説明したように、請求項１の発明によれば、複数の端子支持部の各端子部がショート防止カバーで被われるため、ワイヤーハーネスが各端子部に直接接触することがなく、外周近傍に配索されるワイヤーハーネスとのショート事故を確実に防止することができる。
【００４３】
請求項２の発明によれば、仕切りリブに被係止部を設けたので、被係止部を設ける部材を別途付設する必要がなく、その分全体の低コスト化を図ることができる。
【００４４】
請求項３の発明によれば、端子部としてのビス止め用端子部は比較的大電流が通電される端子に用いられ、ビス止め用端子にワイヤーハーネスが接触されるとショート事故が発生する可能性があるが、このショート事故を確実に防止することができる。
【図面の簡単な説明】
【図１】本発明の一実施形態を示し、ヒュージブルリンクユニットの斜視図である。
【図２】本発明の一実施形態を示し、図１中Ａ−Ａ線に沿う断面図である。
【図３】本発明の一実施形態を示し、図１中Ｂ−Ｂ線に沿う断面図である。
【図４】本発明の一実施形態を示し、第１ヒューズ回路構成体の正面図である。
【図５】本発明の一実施形態を示し、第２ヒューズ回路構成体の正面図である。
【図６】本発明の一実施形態を示し、ショート防止カバーで被われる箇所の分解斜視図である。
【図７】本発明の一実施形態を示し、ショート防止カバーで被われる部分の断面図である。
【図８】本発明の一実施形態を示し、第１及び第２ヒューズ回路構成体が形成するヒューズ回路図である。
【図９】従来例のヒュージブルリンクユニットの分解斜視図である。
【図１０】従来例の第１ヒューズ回路構成体の正面図である。
【図１１】従来例の第２ヒューズ回路構成体の正面図である。
【符号の説明】
１　ヒュージブルリンクユニット
２　第１ヒューズ回路構成体（ヒューズ回路構成体）
３　第２ヒューズ回路構成体（ヒューズ回路構成体）
４　ハウジング
５，１３　連結プレート部
６，１０，１４　可溶体部
７，１５　雌端子部（端子部）
８，１６　ビス止め用端子部（端子部）
２９　ナット部材
３０　ＬＡ端子（相手側の端子）
３６　ビス
３７　仕切りリブ
３８　ショート防止カバー
４２　被係止溝（被係止部）
【図１】
2004127704.tif 000003
【図２】
2004127704.tif 000004
【図３】
2004127704.tif 000005
【図４】
2004127704.tif 000006
【図５】
2004127704.tif 000007
【図６】
2004127704.tif 000008
【図７】
2004127704.tif 000009
【図８】
2004127704.tif 000010
【図９】
2004127704.tif 000011
【図１０】
2004127704.tif 000012
【図１１】
2004127704.tif 000013